【手続補正書】
【提出日】平成20年8月1日(2008.8.1)
【手続補正１】
【補正対象書類名】特許請求の範囲
【補正対象項目名】全文
【補正方法】変更
【補正の内容】
【特許請求の範囲】
【請求項１】
印刷用プレートを積み重ねてなる堆積物を積載した複数個のスキッドが搬入される印刷用プレート搬入格納部と、前記堆積物から最上の前記印刷用プレートを取り上げて記録部に移送する印刷用プレート移送手段とを備えた印刷用プレート供給装置であって、
前記印刷用プレート搬入格納部内で、複数個の前記スキッドを上下に多段に配置するとともに二段目以上のスキッドを移動スキッドとし、この移動スキッドに積載された最上の前記印刷用プレートを前記記録部に移送させる位置であるスキッド設置部と前記移送を待機させる位置であるスキッド待機部との間で前記移動スキッドを移動可能としたことを特徴とする印刷用プレート供給装置。
【請求項２】
前記スキッド待機部から前記スキッド設置部にかけてレールを軌設して、前記移動スキッドを、前記レールを用いて前記スキッド待機部および前記移動スキッド設置部間を往復動可能に構成したことを特徴とする請求項１に記載の印刷用プレート供給装置。
【請求項３】
前記移動スキッドは、前記堆積物を載せるスキッド本体を台車部に設置固定して構成してあり、前記移動スキッドは、前記台車部の車輪を前記レールに載せることで前記スキッド待機部に配設してあり、
前記移動スキッドは、移動スキッド走行手段により前記スキッド待機部と前記スキッド設置部との間を往復動するように構成したことを特徴とする請求項２に記載の印刷用プレート供給装置。
【請求項４】
前記印刷用プレートは、少なくとも標準幅の印刷用プレートと、その二倍幅の印刷用プレートとの二種類を用いており、前記移動スキッドには前記二倍幅の印刷用プレートの堆積物が積載されていることを特徴とする請求項１ないし請求項３のいずれか一に記載の印刷用プレート供給装置。
【請求項５】
移動スキッド走行手段は、前記移動スキッドの移動方向に伸縮して前記移動スキッドの往復動を行なうアクチュエータと、このアクチュエータの伸縮動作を制御して前記移動スキッドの移動を制御するアクチュエータ動作制御手段とを備えていることを特徴とする請求項３に記載の印刷用プレート供給装置。
【請求項６】
前記アクチュエータ動作制御手段は、前記移動スキッドに積載された前記堆積物の重量に応じて前記移動スキッドの走行を緩衝する緩衝手段を有することを特徴とする請求項５に記載の印刷用プレート供給装置。
【請求項７】
前記緩衝手段は、前記移動スキッドに積載された前記堆積物の重量に応じて前記移動スキッドの減速位置を変える減速位置制御手段であることを特徴とする請求項６に記載の印刷用プレート供給装置。
【請求項８】
前記減速制御手段は、前記堆積物における前記印刷用プレートの枚数を検知する枚数検知手段と、前記枚数から算出した前記堆積物の重量であるスキッド重量に基づいて前記移動スキッドの減速開始位置を設定する減速開始位置設定手段と、前記移動位置を検知する移動位置検知手段と、前記移動位置が前記減速開始位置に一致した場合に前記アクチュエータのアクチュエータ動作制御回路に減速指令を出力する制御部を備えたことを特徴とする請求項７に記載の印刷用プレート供給装置。
【請求項９】
前記枚数検知手段は、原点Ｓから前記堆積物の高さ検知までの距離Ｈと前記原点Ｓから前記堆積物が載置される前記移動スキッドまでの距離Ｌを算出して、枚数＝（距離Ｈ−距離Ｌ）／（印刷用プレート厚さ＋合い紙厚さ）の式から前記枚数を演算して検知し、
前記移動位置検知手段は、前記移動スキッドに設けたスリット板のスリットに光を通過させることによってパルスを発生させ、前記移動スキッド待機部に設けた第１、第２のカウントセンサが二重に前記パルスを拾い、これらのパルスに基づく位置検知信号を出力するスキッドカウンタで構成してあり、
前記減速開始位置設定手段は、前記スキッド重量に基づいた前記移動スキッドの減速開始位置をテーブルとして設定しており、
前記制御部は、前記移動スキッドの移動位置が、前記テーブルに書き込まれた設定減速開始位置に一致した場合に、前記減速指令を前記アクチュエータ動作制御回路に出力することを特徴とする請求項８に記載の印刷用プレート供給装置。
【請求項１０】
前記アクチュエータは空圧シリンダであり、前記アクチュエータ動作制御回路はシリンダ動作制御回路であり、このシリンダ動作制御回路は、前記空圧シリンダのヘッド側圧力室及びピストンロッド側圧力室への圧縮空気の供給及び排出を切換える電磁切換弁と、前記ピストンロッド側圧力室からの排気を制御するシリンダ出し側デセラレータと、前記ヘッド側圧力室からの排気を制御するシリンダ引き側デセラレータを有しており、
前記制御部は、前記電磁切換弁を切換作動させて前記圧縮空気を前記ヘッド側圧力室に供給すると共に、前記ピストンロッド側圧力室の圧縮空気を前記シリンダ出し側デセラレータを経て排気することで前記空圧シリンダを伸長して前記移動スキッドをシリンダ出し側に移動させ、且つ前記圧縮空気を前記ピストンロッド側圧力室に供給し、前記ヘッド側圧力室の圧縮空気を前記シリンダ引き側デセラレータを経て排気することで前記空圧シリンダを縮小して前記移動スキッドをシリンダ引き側に移動させ、且つ、前記減速指令を受けて、前記シリンダ出し側デセラレータ及び前記シリンダ引き側デセラレータを切換作動することにより前記排気量を制御して前記移動スキッドの減速を行なうようにしたことを特徴とする請求項９に記載の印刷用プレート供給装置。
【請求項１１】
前記移動スキッド待機部のシリンダ出し側に、シリンダ出し側位置センサと、このシリンダ出し側位置センサよりシリンダ引き側に寄せてシリンダ出し側リミットセンサとが配置してあり、前記移動スキッド待機部のシリンダ引き側に、シリンダ引き側位置センサと、このシリンダ引き側位置センサよりシリンダ出し側に寄せてシリンダ引き側リミットセンサとが配置してあり、
前記制御部は、前記移動スキッドが前記シリンダ出し側リミットに到達するまでに前記カウントセンサによる位置割込が来ない場合には、前記シリンダ出し側リミットの検出信号に基づき前記移動スキッドを強制停止させ、且つ、前記移動スキッドが前記シリンダ引き側リミットに到達するまでに、前記カウントセンサによる位置割込が来ない場合には、前記シリンダ引き側リミットの検出信号に基づき前記移動スキッドを強制停止させるようにしたことを特徴とする請求項１０に記載の印刷用プレート供給装置。
【請求項１２】
印刷用プレートを積み重ねてなる堆積物を積載した複数個のスキッドを印刷用プレート搬入格納部に搬入し、印刷用プレート移送手段が前記堆積物から最上の前記印刷用プレートを取り上げて記録部に移送するようにした印刷用プレート供給装置におけるスキッド搬入方法であって、
前記印刷用プレート搬入格納部内で、複数個の前記スキッドを上下に多段に配置するとともに二段目以上のスキッドを移動スキッドとし、この移動スキッドに積載された最上の前記印刷用プレートを前記記録部に移送させる位置であるスキッド設置部と前記移送を待機させる位置であるスキッド待機部との間で前記移動スキッドを移動可能としたことを特徴とする印刷用プレート供給装置におけるスキッド搬入方法。
【手続補正２】
【補正対象書類名】明細書
【補正対象項目名】００１０
【補正方法】変更
【補正の内容】
【００１０】
上記の第１の目的を達成するために、本発明の印刷用プレート供給装置は、印刷用プレートを積み重ねてなる堆積物を積載した複数個のスキッドが搬入される印刷用プレート搬入格納部と、堆積物から最上の印刷用プレートを取り上げて記録部に移送する印刷用プレート移送手段とを備えた印刷用プレート供給装置であって、印刷用プレート搬入格納部内で、複数個のスキッドを上下に多段に配置するとともに二段目以上のスキッドを移動スキッドとし、この移動スキッドに積載された最上の印刷用プレートを記録部に移送させる位置であるスキッド設置部と移送を待機させる位置であるスキッド待機部との間で移動スキッドを移動可能としたことを特徴とする。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
さらに、かかる構成により、一段目のスキッドを、例えば、床置きにして、この一段目のスキッドの上方に移動スキッドを移動させて、印刷用プレートを積み重ねてなる堆積物のそれぞれを積載した複数種のスキッドを、印刷用プレート搬入格納部内において、互いに区別させて上下に重ねることができる。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】変更
【補正の内容】
【００１５】
さらに、かかる構成により、移動スキッドを、移動スキッド待機部に待機させ、この待機状態からスキッド設置部に、また、この逆に往復動させることができて、印刷用プレートを積み重ねてなる堆積物のそれぞれを積載した複数種のスキッドを、スキッド設置部内において、互いに区別させて上下に重ねることができる。
【手続補正７】
【補正対象書類名】明細書
【補正対象項目名】００３６
【補正方法】変更
【補正の内容】
【００３６】
また、上記の第２の目的を達成するために、本発明の印刷用プレート供給装置におけるスキッド搬入方法は、印刷用プレートを積み重ねてなる堆積物を積載した複数個のスキッドを印刷用プレート搬入格納部に搬入し、印刷用プレート移送手段が堆積物から最上の印刷用プレートを取り上げて記録部に移送するようにした印刷用プレート供給装置におけるスキッド搬入方法であって、印刷用プレート搬入格納部内で、複数個のスキッドを上下に多段に配置するとともに二段目以上のスキッドを移動スキッドとし、この移動スキッドに積載された最上の印刷用プレートを記録部に移送させる位置であるスキッド設置部と移送を待機させる位置であるスキッド待機部との間で移動スキッドを移動可能としたことを特徴とする。
【手続補正８】
【補正対象書類名】明細書
【補正対象項目名】００３８
【補正方法】削除
【補正の内容】
【手続補正９】
【補正対象書類名】明細書
【補正対象項目名】００３９
【補正方法】削除
【補正の内容】
【手続補正１０】
【補正対象書類名】明細書
【補正対象項目名】００４０
【補正方法】削除
【補正の内容】
【手続補正１１】
【補正対象書類名】明細書
【補正対象項目名】００４１
【補正方法】削除
【補正の内容】